(57)【要約】【課題】ウェブ搬送時の滑りを防止しつつ、ウェブ引き回し作業を容易にする。【解決手段】搬送モータ６２から伝達される動力により回転駆動することで長尺状のウェブＷを印刷媒体として搬送する駆動ローラ４４ａと、駆動ローラ４４ａによりウェブＷを搬送するときの駆動ローラ４４ａに対するウェブＷの巻付角を第１巻付角とする搬送位置と、第１巻付角より小さい第２巻付角とする低負荷位置との間で変移可能に設けられた可動ローラ６１と、を備える。【選択図】図２
2020117375.tif 000002
【特許請求の範囲】
【請求項１】
駆動部から伝達される動力により回転駆動することで長尺状のウェブを印刷媒体として搬送する駆動ローラと、
前記駆動ローラにより前記印刷媒体を搬送するときの前記駆動ローラに対する前記印刷媒体の巻付角を第１巻付角とする第１の位置と、前記第１巻付角より小さい第２巻付角とする第２の位置との間で変移可能に設けられた可動ローラと、
を備えたことを特徴とするウェブ搬送装置。
【請求項２】
前記駆動ローラとで前記印刷媒体を押圧する押圧位置と、前記押圧を解放する解放位置との間で変移可能に設けられたニップローラを、
さらに備えたことを特徴とする請求項１記載のウェブ搬送装置。
【請求項３】
一方の端部に前記可動ローラの回転軸が設けられ、他方の端部を回転軸として回転自在に設けられたリンクを、さらに備え、
前記リンクは、前記可動ローラが前記第１の位置に変移したときに前記ニップローラを前記押圧位置へ変移させ、前記可動ローラが前記第２の位置に変移したときに前記ニップローラを前記解放位置へ変移させる
ことを特徴とする請求項２記載のウェブ搬送装置。
【発明の詳細な説明】
【技術分野】
【０００１】
本発明は、ウェブ搬送時の滑りを防止しつつ、ウェブ引き回し作業を容易にするウェブ搬送装置に関する。
【背景技術】
【０００２】
ロール状に巻き付けられたウェブを印刷媒体として搬送しつつ、印刷ジョブに含まれる画像データに基づいて、搬送されるウェブに連続的に画像を印刷するウェブ印刷装置が知られている。
【０００３】
例えば、特許文献１には、第１の搬送ローラの第１の巻付角を７５°以上で第２の搬送ローラの第２の巻付角よりも大きくし、第２の搬送ローラの第２の巻付角を小さくすることにより、第１の搬送ローラにおける連続紙ＷＰの滑りを抑制するインクジェット印刷装置に関する技術が開示されている。
【先行技術文献】
【特許文献】
【０００４】
【特許文献１】特開２０１６−４３４８２号公報
【発明の概要】
【発明が解決しようとする課題】
【０００５】
ウェブ印刷装置は、ロール状に巻き付けられたウェブを交換する際、作業者が新しいロールからウェブを引き出し、搬送ローラにセットするウェブ引き回し作業を行っている。
【０００６】
搬送ローラは、モータにより回転駆動される駆動ローラや、回転自在に設けられウェブをガイドする従動ローラがある。
【０００７】
駆動ローラはウェブ搬送時の滑りを防止するために、摩擦係数が大きくなるよう表面加工されている。そして、特許文献１に開示のインクジェット印刷装置のように、巻付角を大きくすることにより、ウェブ搬送時の滑りを防止している。また従動ローラとは異なって、駆動ローラは動力伝達機構を介してモータと繋がっており、モータが駆動する場合以外では駆動ローラにモータの負荷トルクがかかり、回転し難い。
【０００８】
しかしながら、上述したような搬送ローラにウェブをセットするウェブ引き回し作業を行う際には、モータの負荷トルクにより駆動ローラが回転し難く、ウェブが滑り難いので、駆動ローラにセットし難く手間がかかっていた。
【０００９】
本発明は前記事情に鑑みなされたものであり、本発明の目的は、ウェブ搬送時の滑りを防止しつつ、ウェブ引き回し作業を容易にするウェブ搬送装置を提供することにある。
【課題を解決するための手段】
【００１０】
上記目的を達成するため、本発明に係るウェブ搬送装置の特徴は、
駆動部から伝達される動力により回転駆動することで長尺状のウェブを印刷媒体として搬送する駆動ローラと、
前記駆動ローラにより前記印刷媒体を搬送するときの前記駆動ローラに対する前記印刷媒体の巻付角を第１巻付角とする第１の位置と、前記第１巻付角より小さい第２巻付角とする第２の位置との間で変移可能に設けられた可動ローラと、
を備えたことにある。
【発明の効果】
【００１１】
本発明に係るウェブ搬送装置の特徴によれば、ウェブ搬送時の滑りを防止しつつ、ウェブ引き回し作業を容易にすることができる。
【図面の簡単な説明】
【００１２】
【図１】本発明の第１実施形態に係るウェブ印刷装置を備えた印刷システムの概略構成図である。
【図２】本発明の第１実施形態に係るウェブ印刷装置が備える可動ローラの動作を説明した説明図である。（ａ）は、可動ローラ６１が搬送位置にある状態を示しており、図２（ｂ）は、可動ローラ６１が低負荷位置にある状態を示している。
【図３】本発明の第１実施形態に係るウェブ印刷装置が備える可動ローラの可動を説明した説明図である。（ａ）は、可動ローラが低負荷位置として駆動ローラより上側の位置まで変移した状態を示しており、（ｂ）は、可動ローラが低負荷位置として駆動ローラより下側の位置まで変移した状態を示している。
【図４】本発明の第２実施形態に係るウェブ印刷装置が備える可動ローラおよびニップローラの動作を説明した説明図である。（ａ）は、可動ローラが搬送位置にある状態を示しており、図４（ｂ）は、可動ローラが低負荷位置にある状態を示している。
【発明を実施するための形態】
【００１３】
以下、本発明の実施の形態について、図面を参照して説明する。各図面を通じて同一若しくは同等の部位や構成要素には、同一若しくは同等の符号を付している。ただし、図面は模式的なものであり、現実のものとは異なることに留意すべきである。また、図面相互間においても互いの寸法の関係や比率が異なる部分が含まれている。
【００１４】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１５】
＜第１実施形態＞
図１は、本発明の第１実施形態に係るウェブ搬送装置が適用されたウェブ印刷装置を備えた印刷システムの概略構成図である。なお、以下の説明において、図１の紙面に直交する方向を前後方向とし、紙面表方向を前方とする。また、図１における紙面の上下左右を上下左右方向とする。
【００１６】
図１に示すように、本発明の第１実施形態に係る印刷システム１は、巻出装置２と、ウェブ印刷装置３と、巻取装置４とを備える。
【００１７】
巻出装置２は、ウェブロール支持軸１１を備え、ウェブロール支持軸１１に巻かれたフィルム、紙等からなる長尺状の印刷媒体であるウェブＷをウェブ印刷装置３へ巻き出す。
【００１８】
ウェブロール支持軸１１は、ウェブロール１６を回転可能に支持する。ウェブロール支持軸１１は、前後方向に延びる長尺状に形成されている。ウェブロール１６は、ウェブＷがロールされたものである。
【００１９】
巻取装置４は、巻取軸１０１を備え、ウェブ印刷装置３で印刷されたウェブＷを巻き取る。
【００２０】
巻取軸１０１は、ウェブＷを巻き取って保持する。巻取軸１０１は、前後方向に延びる長尺状に形成されている。
【００２１】
ウェブ印刷装置３は、巻出装置２から巻き出されたウェブＷを搬送しつつ、印刷ジョブに基づいてウェブＷに画像を印刷する。ウェブ印刷装置３は、筐体２１と、搬送部２２と、第１印刷部２３と、第２印刷部２４と、印刷装置制御部２５とを備える。
【００２２】
筐体２１は、ウェブ印刷装置３の各部を収容する。
【００２３】
搬送部２２は、巻出装置２から巻き出されたウェブＷを搬送する。搬送部２２は、ガイドローラ３１〜４０と、２０本のヘッド下支持部材４１と、蛇行ローラ４２と、搬送ローラ４４と、可動ローラ６１と、搬送モータ６２とを備える。
【００２４】
ガイドローラ３１〜４０は、筐体２１内で搬送されるウェブＷをガイドする。ガイドローラ３１〜４０、ヘッド下支持部材４１、蛇行ローラ４２、搬送ローラ４４、可動ローラ６１により、筐体２１内におけるウェブＷの搬送経路が形成される。ガイドローラ３１〜４０は、回転自在に設けられており搬送されるウェブＷに従動回転する。ガイドローラ３１〜４０は、前後方向に延びる長尺状に形成されている。
【００２５】
ガイドローラ３１，３２は、巻出装置２と後述する蛇行ローラ４２との間でウェブＷをガイドする。ガイドローラ３１は、ウェブ印刷装置３の下部において、筐体２１の左側面近傍に配置されている。ガイドローラ３２は、ガイドローラ３１と蛇行ローラ４２との間に配置されている。
【００２６】
ガイドローラ３３〜３９はウェブＷをガイドする。ガイドローラ３３は、蛇行ローラ４２の左方に配置されている。ガイドローラ３４は、ガイドローラ３３の上方に配置されている。ガイドローラ３５は、ガイドローラ３４と同じ高さで、ガイドローラ３４の右方に配置されている。ガイドローラ３６は、ガイドローラ３５の下方であって、ガイドローラ３３より高い位置に配置されている。ガイドローラ３７は、ガイドローラ３６の左方であって、ガイドローラ３３，３４間のウェブＷの右側近傍であり、ガイドローラ３６とほぼ同じ高さである位置に配置されている。ガイドローラ３８は、ガイドローラ３７の右下方に配置されている。ガイドローラ３９は、搬送ローラ４４の右側に配置されている。
【００２７】
ガイドローラ４０は、搬送ローラ４４と巻取装置４との間でウェブＷをガイドする。ガイドローラ４０は、ウェブ印刷装置３の下部において、筐体２１の右側面近傍に配置されている。
【００２８】
ヘッド下支持部材４１は、第１印刷部２３の直下および第２印刷部２４の直下においてウェブＷを支持する。ヘッド下支持部材４１は、前後方向に延びる長尺状に形成されている。第１印刷部２３の直下であるガイドローラ３４，３５間、および、第２印刷部２４の直下であるガイドローラ３６，３７間に、それぞれ１０本ずつのヘッド下支持部材４１が配置されている。そして、ヘッド下支持部材４１は、第１印刷部２３の直下であるガイドローラ３４，３５間、および、第２印刷部２４の直下であるガイドローラ３６，３７間において、各印刷ユニット５１の直下に２本ずつ配置されている。
【００２９】
ガイドローラ３４，３５間およびガイドローラ３６，３７間のそれぞれにおいて、１０本のヘッド下支持部材４１は、上に凸のアーチを描くように配置されている。これにより、ガイドローラ３４，３５間およびガイドローラ３６，３７間において、ウェブＷが張った状態となり安定した姿勢に保たれる。
【００３０】
蛇行ローラ４２は、ウェブＷの蛇行を修正するものである。蛇行ローラ４２は、前後方向に延びる長尺状に形成されている。
【００３１】
搬送ローラ４４は、ガイドローラ３８の右下に配置されている。搬送ローラ４４は、駆動ローラ４４ａとニップローラ４４ｂとを備えている。駆動ローラ４４ａとニップローラ４４ｂとでウェブＷを押圧（ニップ）しつつ、巻取装置４へ向けてウェブＷを搬送する。駆動ローラ４４ａとニップローラ４４ｂとは、ウェブＷを搬送させる際の滑りを防止するために、摩擦係数が大きくなるように表面加工されている。
【００３２】
搬送モータ６２は、駆動ローラ４４ａを回転駆動させる。
【００３３】
可動ローラ６１は、駆動ローラ４４ａによりウェブＷを搬送するときの駆動ローラ４４ａに対するウェブＷの巻付角を第１巻付角とする搬送位置（第１の位置）と、第１巻付角より小さい第２巻付角とする低負荷位置（第２の位置）との間で変移可能に設けられている。詳細は後述する。
【００３４】
第１印刷部２３は、ウェブＷのおもて面に画像を印刷する。第１印刷部２３は、ガイドローラ３４，３５間のウェブＷの上方に配置されている。第１印刷部２３は、５つの印刷ユニット５１を備える。５つの印刷ユニット５１は、相互に異なる色のインクを吐出する。各印刷ユニット５１は、吐出するインクの色が異なる以外は、同じ構成を有する。
【００３５】
第２印刷部２４は、ウェブＷのうら面に画像を印刷する。第２印刷部２４は、ガイドローラ３６，３７間のウェブＷの上方に配置されている。第２印刷部２４は、第１印刷部２３と同様に、相互に異なる色のインクを吐出する５つの印刷ユニット５１を備える。
【００３６】
印刷装置制御部２５は、ウェブ印刷装置３の各部の動作を制御する。印刷装置制御部２５は、ＣＰＵ、ＲＡＭ、ＲＯＭ、ハードディスク等を備えて構成される。
【００３７】
印刷装置制御部２５は、印刷を行う際、搬送モータ６２により駆動ローラ４４ａを回転駆動させてウェブＷを搬送させつつ、第１および第２印刷部２３，２４の各インクジェットヘッドからインクを吐出させてウェブＷに画像を印刷させる。
【００３８】
また、印刷装置制御部２５は、図示しない操作パネルから停止信号を受け付けたときに、現在印刷中の印刷ジョブの終了まで、巻出装置２によるウェブＷの巻出と、搬送部２２によるウェブＷの搬送と、巻取装置４によるウェブＷの巻取と、第１および第２印刷部２３，２４による印刷を継続する。
【００３９】
図２は、本発明の第１実施形態に係るウェブ印刷装置３が備える可動ローラ６１の動作を説明した説明図である。図２（ａ）は、可動ローラ６１が搬送位置にある状態を示しており、図２（ｂ）は、可動ローラ６１が低負荷位置にある状態を示している。
【００４０】
搬送モータ６２により駆動ローラ４４ａをＡ方向に回転駆動させてウェブＷを搬送させる際、駆動ローラ４４ａに対するウェブＷの巻付角を大きくした方が、駆動ローラ４４ａの滑りを防止することができる。そこで、駆動ローラ４４ａによりウェブＷを搬送するときの駆動ローラ４４ａに対するウェブＷの巻付角を第１巻付角θ１（約９０°）としている。これにより、駆動ローラ４４ａにウェブＷが十分に巻き付き、グリップするので駆動ローラ４４ａの滑りを防止することができる。
【００４１】
このとき、図２（ａ）に示すように、可動ローラ６１は、駆動ローラ４４ａの上方に位置しており、この位置を搬送位置という。
【００４２】
一方、駆動ローラ４４ａを含む全ての搬送ローラにウェブＷをセットするウェブ引き回し作業を行う際には、巻付角が大きいとウェブＷが滑り難いので、駆動ローラ４４ａにセットし難く作業者の手間がかかる。そのため、ウェブ引き回し作業を行う際には、ウェブＷの巻付角を極力小さくすることが好ましい。
【００４３】
そこで、ウェブＷの巻付角を極力小さくするため、図２（ｂ）に示すように、可動ローラ６１が、搬送位置から駆動ローラ４４ａの左側の搬送位置まで変移される。
【００４４】
これにより、ウェブＷは、可動ローラ６１にガイドされてガイドローラ３９まで直線的に搬送される。そのため、可動ローラ６１とガイドローラ３９との間に配置されている駆動ローラ４４ａに対するウェブＷの巻付角が第１巻付角θ１より小さい第２巻付角θ２（ここでは０°）となる。
【００４５】
これにより、ウェブＷの巻付角を極力小さくすることができるので、ウェブ引き回し作業を行う際においてウェブＷが滑り易くなり、駆動ローラ４４ａにセットし易く作業が容易となる。ウェブ引き回し作業の際は、駆動ローラ４４ａは回転してもよいし、回転しなくてもよい。
【００４６】
なお、本発明の第１実施形態では、ウェブ引き回し作業を行う際に、低負荷位置として第２巻付角θ２が０°となる位置まで変移したが、第２巻付角θ２は０°に限らず、第１巻付角θ１より小さい角度であればよい。
【００４７】
図３は、本発明の第１実施形態に係るウェブ印刷装置３が備える可動ローラ６１の可動を説明した説明図である。図３（ａ）は、可動ローラ６１が低負荷位置として駆動ローラ４４ａより上側の位置まで変移した状態を示しており、図３（ｂ）は、可動ローラ６１が低負荷位置として駆動ローラ４４ａより下側の位置まで変移した状態を示している。
【００４８】
図３（ａ）に示すように、可動ローラ６１が低負荷位置として駆動ローラ４４ａより上側の位置まで変移した状態では、第２巻付角θ２は０°ではなく、約４５°となっている。この場合においても、第２巻付角θ２（４５°）は、第１巻付角θ１（９０°）より小さいので、摩擦力を小さくすることができ、ウェブ引き回し作業を行う際においてウェブＷが滑り易くなり、駆動ローラ４４ａにセットし易く作業が容易となる。
【００４９】
また、図３（ｂ）に示すように、可動ローラ６１が低負荷位置として駆動ローラ４４ａより下側の位置まで変移するようにしてももちろんよい。この場合においても、第２巻付角θ２は０°となり、第１巻付角θ１（９０°）より小さいので、摩擦力を小さくすることができ駆動ローラ４４ａにセットし易く作業が容易となる。
【００５０】
なお、可動ローラ６１は、駆動ローラ４４ａによりウェブＷを搬送する際に搬送位置に変移し、ウェブ引き回し作業を行う際に低負荷位置に変移するように、作業者が手動で行うようにしてもよいし、例えば、操作パネル上から作業者が「印刷開始ボタン」を押下操作すると搬送位置に自動的に変移し、「ウェブ引き回し作業」ボタンを押下操作すると低負荷位置に自動的に変移するようにしてもよい。
【００５１】
＜第２実施形態＞
本発明の第１実施形態に係るウェブ印刷装置３では、駆動ローラ４４ａによりウェブＷを搬送する際に可動ローラ６１が搬送位置に変移し、ウェブ引き回し作業を行う際に可動ローラ６１が低負荷位置に変移するようにしたが、さらに、ニップローラ４４ｂが変移するようにしてもよい。
【００５２】
本発明の第２実施形態では、可動ローラ６１およびニップローラ４４ｂが変移するウェブ印刷装置３を例に挙げて説明する。
【００５３】
図４は、本発明の第２実施形態に係るウェブ印刷装置３が備える可動ローラ６１およびニップローラ４４ｂの動作を説明した説明図である。
【００５４】
図４（ａ）は、可動ローラ６１が搬送位置にある状態を示しており、図４（ｂ）は、可動ローラ６１が低負荷位置にある状態を示している。
【００５５】
ニップローラ４４ｂは、回転軸４４ｂ１がガイドレール６３ａ，６３ｂにガイドされ上下方向にスライド自在に設けられている。具体的には、図４（ａ）に示した駆動ローラ４４ａとでウェブＷを押圧する押圧位置と、図４（ｂ）に示した押圧を解放する解放位置との間で変移可能に設けられている。
【００５６】
ウェブＷを搬送させる際には、ニップローラ４４ｂは押圧位置に変移されて回転駆動する駆動ローラ４４ａとの間でウェブＷを押圧し、ウェブ引き回し作業を行う際には、ニップローラ４４ｂは解放位置に変移されることでウェブＷと接触をなくすことで摩擦力をゼロにする。
【００５７】
また、可動ローラ６１およびニップローラ４４ｂを変位させるＬ字型のリンク６４が設けられている。
【００５８】
リンク６４は、一方の端部に可動ローラ６１の回転軸６１ａが設けられている。また、リンク６４の他方の端部を回転軸６５としてＸ１−Ｘ２方向に回転自在に設けられている。リンク６４が回転軸６５を中心にＸ１方向またはＸ２方向に回転すると、可動ローラ６１の回転軸６１ａは、円弧状に設けられたガイドレール６６に沿ってＸ１方向またはＸ２方向に変移する。
【００５９】
リンク６４のＬ字の屈曲部近傍には、ばね６７が取り付けられている。このばね６７の付勢力によりリンク６４は回転軸６５を中心にＸ１方向に回転される。可動ローラ６１が搬送位置へ変移されると、リンク６４はニップローラ４４ｂを上方へ押し上げ、ニップローラ４４ｂがガイドレール６３ａにガイドされて押圧位置まで変移する。
【００６０】
可動ローラ６１が搬送位置まで変移すると共にニップローラ４４ｂが押圧位置まで変移したときに、リンク６４の動作を規制するようロック機構（図示しない）が設けられている。これにより、可動ローラ６１が搬送位置で維持されると共にニップローラ４４ｂが押圧位置で維持される。
【００６１】
一方、可動ローラ６１が低負荷位置へ変移されると、ニップローラ４４ｂは自重により自由落下でガイドレール６３ａにガイドされて解放位置まで変移する。
【００６２】
可動ローラ６１が低負荷位置まで変移すると共にニップローラ４４ｂが解放位置まで変移したときにも、リンク６４の動作を規制するようロック機構（図示しない）が同様に設けられている。これにより、可動ローラ６１が低負荷位置で維持されると共にニップローラ４４ｂが解放位置で維持される。
【００６３】
このように、リンク６４は、可動ローラ６１が搬送位置に変移したときにニップローラ４４ｂを押圧位置へ変移させ、可動ローラ６１が低負荷位置に変移したときにニップローラ４４ｂを解放位置へ変移させる。
【００６４】
これにより、リンク６４を動作させることにより、可動ローラ６１とニップローラ４４ｂとを同時に変移させることができるので、単純な構造で、しかも回転動作させるのみで、可動ローラ６１とニップローラ４４ｂとの位置を、ウェブＷを搬送させる際またはウェブ引き回し作業を行う際で、切り替えることができる。
【００６５】
本発明の各実施形態では、インクジェットヘッドからインクを吐出させて搬送されるウェブＷに画像を印刷させるインクジェット方式のウェブ印刷装置に適用されたウェブ搬送装置を例に挙げて説明したが、ウェブ印刷装置の印刷方式はインクジェット方式に限らず、レーザ方式や孔版印刷方式等の様々な印刷装置に適用可能である。すなわち、ウェブＷに画像を印刷させる印刷装置であればどのような方式の印刷装置にも適用可能である。
【００６６】
（付記）
本出願は、以下の発明を開示する。
【００６７】
（付記１）
駆動部から伝達される動力により回転駆動することで長尺状のウェブを印刷媒体として搬送する駆動ローラと、
前記駆動ローラにより前記印刷媒体を搬送するときの前記駆動ローラに対する前記印刷媒体の巻付角を第１巻付角とする第１の位置と、前記第１巻付角より小さい第２巻付角とする第２の位置との間で変移可能に設けられた可動ローラと、
を備えたことを特徴とするウェブ搬送装置。
【００６８】
これにより、第１巻付角を大きくすることができるので、可動ローラを搬送位置（第１の位置）に変移したときには、駆動ローラに印刷媒体が十分に巻き付き、グリップするので駆動ローラの滑りを防止することができる。
【００６９】
その一方、可動ローラを低負荷位置（第２の位置）に変移したときには、印刷媒体の巻付角を極力小さくすることができるので、印刷媒体の引き回し作業を行う際において印刷媒体が滑り易くなり、駆動ローラにセットし易く作業が容易となる。
【００７０】
（付記２）
前記駆動ローラとで前記印刷媒体を押圧する押圧位置と、前記押圧を解放する解放位置との間で変移可能に設けられたニップローラを、
さらに備えたことを特徴とする（付記１）記載のウェブ搬送装置。
【００７１】
これにより、印刷媒体を搬送させる際には、ニップローラは押圧位置に変移されて回転駆動する駆動ローラとの間で印刷媒体を押圧することができ、印刷媒体引き回し作業を行う際には、ニップローラは解放位置に変移されることで印刷媒体と接触をなくすことで摩擦力をゼロにすることができる。
【００７２】
（付記３）
一方の端部に前記可動ローラの回転軸が設けられ、他方の端部を回転軸として回転自在に設けられたリンクを、さらに備え、
前記リンクは、前記可動ローラが前記第１の位置に変移したときに前記ニップローラを前記押圧位置へ変移させ、前記可動ローラが前記第２の位置に変移したときに前記ニップローラを前記解放位置へ変移させる
ことを特徴とする（付記２）記載のウェブ搬送装置。
【００７３】
これにより、リンクを動作させることにより、可動ローラとニップローラとを同時に変移させることができるので、単純な構造で、しかも回転動作させるのみで、可動ローラとニップローラとの位置を、印刷媒体を搬送させる際または印刷媒体引き回し作業を行う際で、切り替えることができる。
【符号の説明】
【００７４】
１  印刷システム
２  巻出装置
３  ウェブ印刷装置
４  巻取装置
１１  ウェブロール支持軸
１６  ウェブロール
２１  筐体
２２  搬送部
２３  第１印刷部
２４  第２印刷部
２５  印刷装置制御部
３１〜４０  ガイドローラ
４１  ヘッド下支持部材
４２  蛇行ローラ
４４  搬送ローラ
４４ａ  駆動ローラ
４４ｂ  ニップローラ
４４ｂ１  回転軸
５１  印刷ユニット
６１  可動ローラ
６１ａ  回転軸
６２  搬送モータ（駆動部）
６３ａ  ガイドレール
６４  リンク
６５  回転軸
６６  ガイドレール
【図１】
2020117375.tif 000003
【図２】
2020117375.tif 000004
【図３】
2020117375.tif 000005
【図４】
2020117375.tif 000006